(57)【要約】【課題】  子釣り針が痛みにくく、ハリスが使用不能になりにくく、小魚を疑餌の子釣り針に食いつかせ、確実に親釣り針にカツオやハマチなどの中型や大型の魚を食いつかせる疑餌釣り針仕掛けを提供する。【解決手段】  親釣り針２と、親釣り針２よりも小さく疑餌８を有する子釣り針６とからなり、親釣り針２のふところ３の中央下部４に一端を繋いだハリス１０の他端を子釣り針６のチモト７に繋ぎ、親釣り針２と子釣り針６との間のハリス１０の長さを４ｍｍ前後とした疑餌釣り針仕掛け１【選択図】      図１
0003112067.tif 000002
【実用新案登録請求の範囲】
【請求項１】
親釣り針２と、親釣り針２よりも小さく疑餌８を有する子釣り針６とからなり、親釣り針２のふところ３の中央下部４に一端を繋いだハリス１０の他端を子釣り針６のチモト７に繋ぎ、親釣り針２と子釣り針６との間のハリス１０の長さを４ｍｍ前後としたことを特徴とする親釣り針２と子釣り針６からなる疑餌釣り針仕掛け１。
【考案の詳細な説明】
【技術分野】
【０００１】
この考案は釣りに使用する仕掛け、特にさびき釣り用の疑餌釣り針からなる仕掛けに関する。
【背景技術】
【０００２】
ヒラマサ、ヒラメ、カツオ、サワラ、その他ハマチ、カンパチ、大アジなどの青物魚などの釣りは疑餌釣り針により釣り上げる場合が多い。これは、ヒラマサ、カツオ、サワラなどの回遊魚は小魚を餌として追う習性がある。そこで、この習性を利用してこれらの回遊魚には小魚などを釣り針に付けて餌としたり、あるいは、ヒラメ、カサゴ、アラ、ソイなどの非回遊の魚には、魚やイカの切り身やオキアミなどやエビ類、あるいはマムシなどの虫類を餌とする。一方、イワシやアジなどの生きた小魚などを生き餌として準備するのは現在では入手に困難となって来ている。また折角に準備できても、釣りの準備をしている間に弱ってしまい、生き餌として使用できなくなる問題があった。
【０００３】
そこで、疑似餌を付けた疑餌釣り針を釣りの仕掛けとしている。これらの仕掛けの釣り針は、親釣り針と疑餌を付けた小さな子釣り針から２段に形成されている。この疑餌釣り針の仕掛けでは、子釣り針に仕掛けた疑餌に、鰯などの小魚が食いつくと、この子釣り針に掛かった小魚がその掛かった状態で、さらにヒラマサやカツオやハマチやカンパチやサワラなどの中型および大型の魚の生き餌となり、この生き餌の小魚を狙ってこれらの中型および大型の魚が仕掛けの親釣り針に食いつくこととなる。
【０００４】
このような疑餌釣り針の仕掛けは、例えば、親釣り針２とこの親釣り針２よりも小さくかつ疑餌効果を有する子釣り針６から構成されており、親釣り針２を繋いだハリス９よりも細い釣り糸のハリス１０を親釣り針２から下方に延ばし、この細い釣り糸のハリス１０を子釣り針６のチモト７に繋ぐことにより、親釣り針２の近くに子釣り針６を配置させて形成した釣り用仕掛けが開示されている（例えば、特許文献１参照。）。しかし、この釣り用仕掛けは子釣り針６を繋いだ釣り糸のハリス１０が親釣り針２の近傍位置に子釣り針６を配置させたとしながらも、その近傍とは親釣り針２のチモト７に取りつけて延出させたそのハリス１０の長さは親釣り針２から約１ｃｍもの長さを有するものからなっている。このように親釣り針２から約１ｃｍも下方に延ばしたハリス１０のために、子釣り針６は親釣り針２から距離的に離れてしまい、釣りたい本命の中型や大型の魚が直接子釣り針６に食いついてしまい、親釣り針２には食いつかないで終わることとなる。その結果、子釣り針６のハリス１０が切られてしまい、中型や大型の魚を釣り上げる目的を果たすことが出来なくなる問題があった。
【０００５】
さらに、これらの従来の疑餌効果をもった子釣り針を有する疑餌釣り針仕掛けは、子釣り針が、例えば中型や大型の魚の食いつきにより変形して傷んで使用されなくなると、親釣り針ともどもに放棄せざるを得ないものであった。また、子釣り針自体は傷まなくとも、そのハリスが縮れたり白濁したりして使用不能になると、仕掛けとしての価値がなくなり放棄せざるを得ない問題があった。
【０００６】
【特許文献１】特開２０００−３００１２３号公報
【考案の開示】
【考案が解決しようとする課題】
【０００７】
この考案は、上記した従来の疑餌釣り針の問題を解消し、子釣り針が痛みにくく、またそのハリスが使用不能になりにくく、生きた小魚を疑餌の子釣り針に食いつかせ、さらに確実に親釣り針に目的とするヒラマサやカツオやハマチやカンパチやサワラやヒラメなどの中型や大型の魚を親釣り針に食いつかせて釣り上げることができる子釣り針付きの親釣り針から形成の疑餌釣り針からなる仕掛けを提供することである。
【課題を解決するための手段】
【０００８】
上記の課題を解決するための本考案の手段は、親釣り針２と、親釣り針２よりも小さく疑餌８を有する子釣り針６とからなり、親釣り針２のふところ３の中央下部４に一端を繋いだハリス１０の他端を子釣り針６のチモト７に繋ぎ、親釣り針２と子釣り針６との間のハリス１０の長さを４ｍｍ前後としたことを特徴とする親釣り針２と子釣り針６からなる疑餌釣り針仕掛け１である。
【考案の効果】
【０００９】
この考案の疑餌釣り針からなる仕掛けは、子釣り針自体が傷みにくく、そのハリスが使用不能になりにくく、かつ子釣り針の疑餌に鰯などの生き餌の食いつきがよく、かつ、その生き餌を狙う中型や大型のヒラマサやカツオやハマチやカンパチやサワラやヒラメなどの魚が親釣り針に確実に食いつくなど、本願の疑餌釣り針からなる仕掛けは優れた効果を有するものである。
【考案を実施するための最良の形態】
【００１０】
この考案の実施をするための最良の形態を図面を参照して説明する。図１は本考案の疑餌釣り針仕掛け１を示す図である。図２はこの考案に用いる子釣り針で（ａ）は拡大した連結用のハリスの輪、（ｂ）は縮めた連結用のハリスの輪を示す図である。図３はこの考案の疑餌釣り針仕掛けの組みつけ状態を示す図である。
【００１１】
本考案の親釣り針２に子釣り針６を組みつけて疑餌釣り針仕掛け１とするために、子釣り針６は、予めそのハリス１０で、図２の（ａ）に示すように、親釣り針２の針先５に通すための輪１１を有し、その子釣り針６が有する輪１１の大きさは、親釣り針２の針先５の部分に有するかえしの部分を通しうる大きさとされている。図２の（ｂ）に示すように、この子釣り針６が有する輪１１はハリス１０の端部１０ａを指で引っ張ることで、ハリス１０の子釣り針６のチモト７への巻回部を締めつけて輪１１を小さな輪１１とすることができる。この締め付けにより、図１に示すように、子釣り針６のハリス１０の長さは約４ｍｍの長さにされる。
【００１２】
この考案の親釣り針２と子釣り針６からなる疑餌釣り針仕掛け１の組みつけ方法を図３を参照して説明する。図３の（ａ）に示すように、親釣り針２はふところ３を有し、ふところ３の中央下端４に子釣り針６のハリス１０の輪１１を通して係止する。この親釣り針２はチモト９にハリス９が結びつけられている。親釣り針２の針先５の下には逆に突出したもどしがある。一方、子釣り針６には輪１１がチモト７の上に形成されてハリス１０がチモト７に結わえられている。また子釣り針６には疑餌８が取りつけられている。
【００１３】
この子釣り針６のハリス１０の輪１１を親釣り針２の針先５から図４の（ａ）に示すように通す。このとき、図２の（ａ）に示すように、子釣り針６のハリス１０の輪１１が拡径されてもどしを通しうる大きさとされている。輪１１を親釣り針２の針先５に通すと矢印の方に移動させ、親釣り針２のふところ３の中央下部４に輪１０を位置させてから、図２の（ｂ）に示すように、ハリス１０の先端１０ａを引張って締めて輪１１を縮めて固定する。この引張り固定により、子釣り針６のハリスは図３の（ｂ）の矢印方向に約４ｍｍ伸び、図３の（ｃ）に示す親釣り針２と子釣り針６からなる疑餌釣り針仕掛け１の組みつけは完成する。
【００１４】
この考案の疑餌釣り針仕掛け１は親釣り針２と子釣り針６の間隔が４ｍｍ前後と近いので、疑餌８に食いついた鰯などの生き餌に寄せられて、ヒラマサやカツオやハマチやカンパチやサワラなどの中型および大型の魚が親釣り針２に食いつくこととなり、確実にさびき釣りが行える。
【図面の簡単な説明】
【００１５】
【図１】この考案の疑餌釣り針仕掛けを示す図である。
【図２】この考案に用いる子釣り針で（ａ）は拡大した連結用のハリスの輪、（ｂ）は縮めた連結用のハリスの輪を示す図である。
【図３】この考案の疑餌釣り針仕掛けの組みつけ状態を示し、（ａ）は子釣り針を親釣り針に通し始めの状態、（ｂ）は子釣り針を親釣り針のふところの中央下部に通した状態、（ｃ）は子釣り針のハリスの輪を引き締めて疑餌釣り針仕掛けとした図を示す。
【図４】従来のさびき用の疑餌釣り針仕掛けを示す図である。
【符号の説明】
【００１６】
１  疑餌釣り針仕掛け
２  親釣り針
３  ふところ
４  中央下部
５  針先
６  子釣り針
７  チモト
８  疑餌
９  ハリス
１０  ハリス
１０ａ  端部
１１  輪
１２  
【図１】
0003112067.tif 000003
【図２】
0003112067.tif 000004
【図３】
0003112067.tif 000005
【図４】
0003112067.tif 000006